(57)【特許請求の範囲】
【請求項１】
異なる種類の内容の印刷を施した複数枚の印刷用紙をあらかじめ定めた配列位置に組み合わせて、数ページからなる印刷物を作製する場合における各印刷用紙の配列位置の検査方法において、
前記配列位置の組み合わせを複数種類定め機械的に記憶させた記憶手段と、前記記憶手段の配列位置の組み合わせの種類毎に、各種類を特定する種別マークが表示された前記印刷用紙の表紙と、各印刷用紙毎に定めた識別マークを側面側に表出するように表示された各印刷用紙と、前記種別マーク及び識別マークをそれぞれ読み取る読取手段と、前記読取手段に基づく情報を比較判定する比較判定手段とからなり、前記種別マークの読み取り情報に基づき前記記憶手段から導きだされる配列位置の組み合わせの情報と、前記識別マークの読み取り情報に基づき導きだされる配列位置の組み合わせの情報とを比較判定することで、各印刷用紙があらかじめ定められた位置に配列されているか否かを検査することを特徴とする印刷物の配列検査方法。
【請求項２】
異なる種類の内容の印刷を施した複数枚の印刷用紙をあらかじめ定めた配列位置に組み合わせて、数ページからなる印刷物を作製する場合における各印刷用紙の配列位置の検査方法において、
前記印刷用紙の配列位置を特定する種別マークが表示された表紙と、前記表紙に表示された各種別マークの天地方向に対して同位置であって、側面側に表出するように表示した識別マークを有する各印刷用紙と、前記種別マーク及び識別マークをそれぞれ読み取る読取手段と、前記読取手段に基づく情報を比較判定する比較判定手段とからなり、前記種別マークと識別マークとを前記読取手段で読み取り、前記種別マークと識別マークの記載位置における天地方向の同一性を比較判定することで、各印刷用紙が定められた位置に配列されているか否かを検査することを特徴とする印刷物の配列検査方法。
【発明の詳細な説明】
【０００１】
【発明の属する技術分野】
本発明は、複数種類の内容の印刷用紙を組み合わせて、数ページからなる印刷物を作製する場合における各印刷用紙の配列位置の適合性を検査する印刷物の配列検査方法に関するものである。
特に、必要に応じて各印刷用紙を様々に組み合わせて数ページからなる１冊の印刷物を作製する際における、各印刷用紙の配列位置の適合性を検査する印刷物の配列検査方法に関するものである。
【０００２】
【従来の技術】
従来、例えば複数ページからなる１冊の製本または綴じ合わされたされた印刷物を作製する場合には、丁合い機を用いて、各ページ毎の印刷用紙を丁合いされる順番の配列位置にセットすることで、丁合い機により順番に自動的に丁合いされた印刷物を作製することができ、これらの方法は書籍の他にも各種の複数ページからなる印刷物の作製において用いられている。
【０００３】
これらの丁合い機を用いた丁合い方法においては、丁合いする各ページ毎の印刷用紙を丁合い機にセットする段階で、セットすべき順番を間違えて印刷用紙をセットしてしまうと、当然丁合いされ出来上がった印刷物も不良品となってしまう。
従って、できるだけ各印刷用紙をセットする際にミスをしないようにするため、セットの段階で最新の注意を払って各印刷用紙のセット作業を行う必要があるが、セット後に丁合いが行われ製本してしまうとその印刷物が予定した通りの順番で各印刷用紙が配列されているか否かについて、作製した印刷物全てについて確認するための検査手段が無く、サンプル検査で数冊の丁合い状態を確認する程度の検査しかできなかった。
【０００４】
しかしながら、近年、印刷物に対する使用者の要求も多様化してきており、複数ページからなる印刷物における使用目的や用途に応じて、その印刷物を構成する印刷用紙の配列順を使用目的に合わせて自由に変更させたり、また印刷を施した各印刷用紙の中からその印刷物の利用者の要求に応じた印刷用紙だけを抽出して任意の順番に丁合いする構成の印刷物等がでできている。
従って、この場合には、従来のように一旦セットして同一の印刷物を作製すればよいという状態ではなく、各印刷物の構成要求毎にそれに対応して各印刷用紙のセットをしなをさなければならず、このためセットをする回数も増し、セットミスの危険性も従来に比べて一段と大きくなってきている。
【０００５】
上記の例として例えば、教育業界で使用する複数の単元を１冊に綴じた問題集において、一つの単元毎に使用するその単元の問題が印刷された複数枚からなる印刷用紙を、各単元毎にあらかじめ印刷して用意しておき、その問題集を使用する学校や予備校の学習進行カリキュラムの順番に対応させた順に、各単元毎の印刷用紙を組み合わせたり、丁合いして各々の使用者の事情に合った配列の問題集を作製する等、市場の多様化した要求に対応する必要がでてきた。
【０００６】
上記した教育業界の印刷物の他にも、各種製品のカタログにおける、製品別に配列したカタログや機能別に配列したカタログの作製、また各種マニュアルにおける、すでに各得意先で使用している機器の機種や機器の組み合わせに対応した順番に配列した得意先毎の実情に合った各種マニュアルの作製等、各種の異なる要求に対応した様々な丁合い、組み合わせの印刷物を作製する機会が増しており、これら複雑な作業における丁合い、組み合わせ時のセットミスの危険性が増えると予測される実情にある。
従って、各印刷用紙を丁合いしたり、組み合わせした後における丁合いミスや組み合わせミスの検査を十分に行うことで、不良品が市場に出回るのを事前に防ぐことが重要になってきている。
【０００７】
【発明が解決しようとする課題】
従って、本発明は、複数種類の印刷物を丁合いしたり、組み合わせて、数ページからなる印刷物を作製する場合において、丁合いまたは組み合わた個々の印刷物があらかじめ定めた配列位置に順番に重ねられているのかを機械的に比較し検査することで、検査スピードも早く効率も良い検査を行うことができる印刷物の配列検査方法を提供することを目的とする。
【０００８】
【課題を解決するための手段】
上述の目的を達成するために、本発明の印刷物の配列検査方法は、異なる種類の内容の印刷を施した複数枚の印刷用紙をあらかじめ定めた配列位置に組み合わせて、数ページからなる印刷物を作製する場合における各印刷用紙の配列位置の検査方法において、
前記配列位置の組み合わせを複数種類定め機械的に記憶させた記憶手段と、前記記憶手段の配列位置の組み合わせの種類毎に、各種類を特定する種別マークが表示された前記印刷用紙の表紙と、各印刷用紙毎に定めた識別マークを側面側に表出するように表示された各印刷用紙と、前記種別マーク及び識別マークをそれぞれ読み取る読取手段と、前記読取手段に基づく情報を比較判定する比較判定手段とからなり、前記種別マークの読み取り情報に基づき前記記憶手段から導きだされる配列位置の組み合わせの情報と、前記識別マークの読み取り情報に基づき導きだされる配列位置の組み合わせの情報とを比較判定することで、各印刷用紙があらかじめ定められた位置に配列されているか否かを検査することを特徴とするものである。
【０００９】
また、本発明の印刷物の配列検査方法は、異なる種類の内容の印刷を施した複数枚の印刷用紙をあらかじめ定めた配列位置に組み合わせて、数ページからなる印刷物を作製する場合における各印刷用紙の配列位置の検査方法において、
前記印刷用紙の配列位置を特定する種別マークが表示された表紙と、前記表紙に表示された各種別マークの天地方向に対して同位置であって、側面側に表出するように表示した識別マークを有する各印刷用紙と、前記種別マーク及び識別マークをそれぞれ読み取る読取手段と、前記読取手段に基づく情報を比較判定する比較判定手段とからなり、前記種別マークと識別マークとを前記読取手段で読み取り、前記種別マークと識別マークの記載位置における天地方向の同一性を比較判定することで、各印刷用紙が定められた位置に配列されているか否かを検査することを特徴とするものである。
【００１０】
【発明の実施の形態】
以下、本発明の一実施例について、図面を用いて詳細に説明する。
ここにおいて、図１（ａ）〜（ｄ）は、本発明の第一の実施形態に用いる構成例の印刷用紙を種類別に表示した斜視図、図２は図１の印刷用紙を組み合わせ配列した状態を示す斜視図、図３は図２の状態から断裁トンボで断裁し、印刷物とした状態を示す斜視図、図４は第二の実施形態に用いる構成例の印刷用紙を種類別に表示した斜視図、図５は図４の印刷用紙を組み合わせ配列した状態を示す斜視図、図６は図５の状態から断裁トンボで断裁し印刷物とした状態を示す斜視図、図７は、本発明の印刷物の配列検査方法に用いる装置の平面図、図８は図７の装置の側面図、図９は、本発明の第一の実施形態に用いる構成例の印刷物の配列検査方法に用いる装置の要部のブロック図、図１０は、本発明の第二の実施形態に用いる構成例の印刷物の配列検査方法に用いる装置の要部のブロック図、図１１は本発明の第一の実施形態に用いる構成例の印刷物の配列検査方法の概要を示すフローチャート、図１２は本発明の第二の実施形態に用いる構成例の印刷物の配列検査方法の概要を示すフローチャートである。
【００１１】
本発明の印刷物の配列検査方法の第一の実施形態について、問題集の印刷物を作製する場合を例にして説明する。
図１に示すように、シート状の各印刷用紙１ａ，１ｂ，１ｃ，１ｄには、最終製品の印刷物である問題集になった場合、表紙となる表紙用の印刷用紙１ａと、各学科毎における練習問題が印刷された数ページにわたって綴り合わされた各印刷用紙、例えば数学問題用の印刷用紙１ｂと、英語問題用の印刷用紙１ｃと、物理問題用の印刷用紙１ｄとが各々の問題３枚づつを１セットとして、それぞれ別々に数十セットづつ積み重ねた状態で用意しておく。
【００１２】
各印刷用紙１ａ，１ｂ，１ｃ，１ｄは、最終製品の大きさに断裁する前のサイズであり、各印刷用紙を組み合わせた後に最終製品のサイズに断裁機により断裁するための位置を示した２本線を直角に交差させて表示した断裁トンボ２が各印刷用紙の４隅に印刷されている。
また、表紙用の印刷用紙１ａの１側部であって、印刷用紙の上下に位置する各々の断裁トンボ２に基づいて断裁する際の断裁予定線２ａの外側部の領域に、その印刷物が最終製品になった場合の各印刷用紙の組み合わせ及び配列順をあらかじめ複数種類設定しておき、その複数種類設定した内容のそれぞれの種類を特定する種別マーク表示部３ａ，３ｂ，３ｃを定めておく。
【００１３】
そして、種別マーク表示部３ａ，３ｂ，３ｃの中から、その印刷物として作製したい各印刷用紙の組み合わせ及び配列順の種類の中から１つの種類を特定する種別マーク３を印刷またはプリンター印字等により黒色でマークし記録表示する。
なお、種別マーク表示部３ａ，３ｂ，３ｃは、どのような形状の表示でもよく、種別マーク３が機械読み取りが可能であれば、種別マーク３の形状、色はどのようなものでもよい。
【００１４】
実施例では、表紙用の印刷用紙１ａに記録表示する種別マーク３は、図１（ａ）に示すように、あらかじめ定めた複数箇所から任意の位置を選択して種別マーク３を記録表示する。
つまり、図１（ａ）に示した受験用の問題集を作製する場合に、受験生の希望に応じて、例えばＡコースを数学、英語、物理、Ｂコースを数学、英語、国語、Ｃコースを英語、国語、物理というように、受験生が勉強したい科目を選ぶことができ、自分の学びたい科目を上記の３コースの中から選択し、各コースに対応した内容及び配列の問題集を作製するため、Ａコースの問題集は、種別マーク表示部３ａに種別マークを記録表示し、Ｂコースの問題集は、種別マーク表示部３ｂに種別マークを記録表示し、Ｃコースの問題集は、種別マーク表示部３ｃに種別マークを記録表示する。
【００１５】
次に、表紙以外の各印刷用紙１ｂ，１ｃ，１ｄには、異なる内容の印刷を施した印刷用紙毎に定めた識別マーク４ａ，４ｂ，４ｃを各印刷用紙に表示する。
識別マーク４ａ，４ｂ，４ｃは、各印刷用紙の側端部分付近に印刷することで、印刷用紙を積み重ねた時に印刷インキが印刷用紙に浸透した部分が印刷用紙の側面から認識できるように表示しておく。
また、識別マーク４ａ，４ｂ，４ｃを印刷する位置は、異なる内容の印刷を施した印刷用紙毎に定めるが、前記の異なる内容の印刷とは、各印刷用紙を組み合わせる場合の最小単位毎の印刷用紙であって、１枚づつでもよいし、複数枚毎を１単位としてその複数枚に対して各々の印刷用紙の同じ位置に識別マークを施してもよい。
実施例においては、各科目毎に３枚の問題用紙があるので、各科目毎にそれぞれ異なる位置に識別マーク４ａ，４ｂ，４ｃを印刷する。
これらの識別マーク４ａ，４ｂ，４ｃは、いずれも各印刷用紙の側面から認識することができ、光学的機械読み取り装置によって、読み取りが可能な表示としておく。
【００１６】
図７は、本発明の印刷物の配列検査方法に用いる装置の平面図、図８は図７の装置の側面図を示すが、この装置５は、各印刷用紙を配置した順に積み重ね丁合いする丁合い機としての機能を持つものである。
装置５には、各印刷用紙１ａ，１ｂ，１ｃ，１ｄを積み重ね順にセットしておくセット部６と、セット部６の各印刷用紙１ａ，１ｂ，１ｃ，１ｄをベルトコンベア７ａに取り出すための取り出し装置８が設けられており、また各印刷用紙１ａ，１ｂ，１ｃ，１ｄを全て積み重ねた後の状態における最上部の表紙の印刷用紙１ａに記録表示した種別マーク３を光学的に機械読み取りすることのできる種別マーク読取手段９と、積み重ねた各印刷用紙１ｂ，１ｃ，１ｄの側面部に表出された識別マーク４ａ，４ｂ，４ｃを側面方向から光学的に機械読み取りすることのできる識別マーク読取手段１０が設けられている。
【００１７】
装置５の要部のブロック図を図９に示すが、種別マーク３を光学的に機械読み取りすることのできる種別マーク読取手段９からの情報は、配列情報記憶手段１１に送られる。
配列情報記憶手段１１は、その印刷物の内容及び配列の種類をあらかじめ記録させておくと共に、各種類と各々の種類に対応して特定する種別マーク３情報とを記憶させておくものである。
つまり、種別マーク読取手段９により読み取られた種別マーク３の情報は、配列情報記憶手段１１によりあらかじめ記録された印刷物の内容及び配列の種類の中から種別マーク３の情報に対応した印刷物の内容及び配列を情報が導かれ特定されることになる。
そして、配列情報記憶手段１１で特定された情報と、識別マーク読取手段１０により読み取られた配列情報とを比較照合して各々の情報に基づく印刷物の配列状態が一致しているか否かを判定する比較判定手段１２が設けられている。
【００１８】
そして、比較判定手段１２からの情報に基づいて、搬送手段７であるベルトコンベア７ａの作動状態を制御したり、また比較判定手段１２における判定結果を作業者が確認することができるようにするために設けたエラー情報出力手段１３である判定ランプ１３ａや警報ブザー１３ｂ等の作動や搬送手段７の動き等をコントロールする制御手段１４が設けられている。
また、この制御手段１４は、ホストコンピュータ１５に結ばれることで、複雑な管理を行うことも可能にしている。
【００１９】
次に、本発明の印刷物の配列検査方法の第二の実施形態について、上記と同様な問題集の印刷物を作製する場合を例にして説明する。
図４に示すように、シート状の各印刷用紙１ａ，１ｂ，１ｃ，１ｄには、最終製品の印刷物である問題集になった場合、表紙となる表紙用の印刷用紙１ａと、各学科毎における練習問題が印刷された数ページにわたって綴り合わされた各印刷用紙、例えば数学問題用の印刷用紙１ｂと、英語問題用の印刷用紙１ｃと、物理問題用の印刷用紙１ｄとが各々の問題３枚づつを１セットとして、それぞれ別々に数十セットづつ積み重ねた状態で用意しておく。
【００２０】
各印刷用紙１ａ，１ｂ，１ｃ，１ｄは、最終製品の大きさに断裁する前のサイズであり、各印刷用紙を組み合わせた後に最終製品のサイズに断裁機により断裁するための位置を示した２本線を直角に交差させて表示した断裁トンボ２が各印刷用紙の４隅に印刷されている。
また、表紙用の印刷用紙１ａの１側部であって、印刷用紙の上下に位置する各々の断裁トンボ２に基づいて断裁する際の断裁予定線２ａの外側部の領域に、その印刷物が最終製品になった場合の各印刷用紙の配列位置を特定する種別マーク３を表示しておく。
図４に示した例では、３つの種別マーク３ｄ，３ｅ，３ｆを表紙用の印刷用紙１ａに表示しておく。
【００２１】
そして、表紙用の印刷用紙１ａに表示された各種別マーク３ｄ，３ｅ，３ｆ毎に、各種別マーク３ｄ，３ｅ，３ｆが表示されている印刷用紙１ａの天地方向に対して同位置に該当する各印刷用紙１ｂ，１ｃ，１ｄの側面側に、側面側から表出するように表示した識別マーク４ｄ，４ｅ，４ｆが設けられている。
つまり、表紙用の印刷用紙１ａに表示された各種別マーク３ｄ，３ｅ，３ｆと、各印刷用紙１ｂ，１ｃ，１ｄに表示した各識別マーク４ｄ，４ｅ，４ｆとは、各印刷用紙１ａ，１ｂ，１ｃ，１ｄの天地方向における位置の同一性により関連づけられている。
なお、各種別マーク３ｄ，３ｅ，３ｆは、どのような形状の表示でもよく、種別マーク３が機械読み取りが可能であれば、種別マーク３の形状、色はどのようなものでもよい。
【００２２】
実施例では、表紙用の印刷用紙１ａに記録表示する種別マーク３は、図４（ａ）に示すように、あらかじめ定めた印刷物の配列に基づいて種別マーク３を記録表示する。
つまり、例えば受験用の問題集を作製する場合に、受験生の希望に応じて、例えばＡコースを数学、英語、物理、Ｂコースを数学、英語、国語、Ｃコースを英語、国語、物理というように、受験生が勉強したい科目を選ぶことができ、自分の学びたい科目を上記の３コースの中から選択し、問題集を作製するものとする。
【００２３】
そして、例えばＡコースの数学、英語、物理の問題集を作製する場合には、まず表紙の印刷用紙１ａに、数学、英語、物理の各印刷物に対応する各種別マーク３ｄ，３ｅ，３ｆを印刷またはプリンター印字等により表示する。
また、数学、英語、物理の各印刷用紙の側面には、識別マーク４ｄ，４ｅ，４ｆが印刷等で表示されている。
【００２４】
そして、図７，図８に示す装置５に、各印刷用紙１ａ，１ｂ，１ｃ，１ｄを積み重ね順にセットし、積み重ねることで図５に示すような丁合した状態の印刷物を作製する。
装置５には、最上部の表紙の印刷用紙１ａに記録表示した種別マーク３を光学的に機械読み取りすることのできる種別マーク読取手段９と、積み重ねた各印刷用紙１ｂ，１ｃ，１ｄの側面部に表出された識別マーク４ｄ，４ｅ，４ｆを側面方向から光学的に機械読み取りすることのできる識別マーク読取手段１０が設けられている。
【００２５】
本発明の第二の実施形態に用いる装置５の要部のブロック図を図１０に示すが、種別マーク３ｄ，３ｅ，３ｆを光学的に機械読み取りすることのできる種別マーク読取手段９と、識別マーク４ｄ，４ｅ，４ｆを光学的に機械読み取りすることのできる識別マーク読取手段１０が設けられている。
また、種別マーク読取手段９と識別マーク読取手段１０とで読み取られたデータに基づいて、用紙の天地方向に対する位置の同一性を比較照合して一致しているか否かを判定する比較判定手段１２が設けられている。
【００２６】
そして、比較判定手段１２からの情報に基づいて、搬送手段７であるベルトコンベア７ａの作動状態を制御したり、また比較判定手段１２における判定結果を作業者が確認することができるようにするために設けたエラー情報出力手段１３である判定ランプ１３ａや警報ブザー１３ｂ等の作動や搬送手段７の動き等をコントロールする制御手段１４が設けられている。
また、この制御手段１４は、ホストコンピュータ１５に結ばれることで、複雑な管理を行うことも可能にしている。
【００２７】
【実施例】
以下、本発明の印刷物の配列検査方法の第一の実施形態に関し、図１に示した問題集の印刷物を作製する際における処理を図１１のフローチャートに基づいて説明する。
【００２８】
まず、図７，８に示した装置５のセット部６に左側から順番に、物理問題用の印刷用紙１ｄ、英語問題用の印刷用紙１ｃ、数学問題用の印刷用紙１ｂ、表紙用の印刷用紙１ａをそれぞれ複数部づつセットする。各問題用の印刷用紙１ｂ，１ｃ，１ｄは、３枚を１部とし、表紙用の印刷用紙１ａは１枚を１部とする。
その後、装置５をスタートさせて作動を開始させると、まず物理問題用の印刷用紙１ｄの１部が、取り出し装置８によりベルトコンベアー７ａ上に乗せられる。そして、ベルトコンベアー７ａの移動に伴って、物理問題用の印刷用紙１ｄの上部に、各取り出し装置８により英語問題用の印刷用紙１ｃ、数学問題用の印刷用紙１ｂ、表紙用の印刷用紙１ａを順次積み上げていく（Ｓ１）。
【００２９】
次に、全ての印刷用紙１ａ，１ｂ，１ｃ，１ｄが積み上げられた状態となった後に、表紙用の印刷用紙１ａの種別マーク３を種別マーク読取手段９により機械的に読み取る（Ｓ２）と共に、読み取られた情報を配列情報記録手段１１に送りあらかじめ登録された配列情報の中からその種別マーク３により特定される配列情報が特定され、比較判定手段１２に送る（Ｓ３）。
また、積み重ねた各印刷用紙の側面部に表出された識別マーク４ａ，４ｂ，４ｃを識別マーク読取手段１０により機械的に読み取る（Ｓ４）ことで積み重ねた各印刷用紙１ｂ，１ｃ，１ｄの配列順の情報を取り込むと共に、その情報を比較判定手段１２に送る。
【００３０】
次に、比較判定手段１２に送られた前記の種別マーク３及び識別マーク４ａ，４ｂ，４ｃの読み取りに基づく配列情報を比較照合し、各々の配列情報が一致するか否かを比較判定手段１２により比較する（Ｓ５）。
比較判定手段１２により比較した結果は、制御手段１４に送られ、一致した場合には、判定ランプ１３ａに青色のＯＫを表すＯＫランプが点灯（Ｓ６）することで、問題集１部に対する配列検査が終了する。
そして、次の処理を継続する場合には上記の処理と同様の処理を行うが、処理を終了する場合には処理作業をストップする（Ｓ７）。
装置５の作動は、一旦スタートさせると連続的に各印刷用紙を取り込みベルトコイベアー７ａ上に積み上げるので、種別マーク３及び識別マーク４ａ，４ｂ，４ｃの読み取り作業及び比較判定手段１２による判定も次々に連続して行われるものである。
【００３１】
また、比較判定手段１２により比較した結果が、不一致の場合には制御手段１４により判定ランプ１３ａに赤色のＮＧを表すＮＧランプを点灯（Ｓ８）させ、また警報ブザー１３ｂを鳴らす（Ｓ９）。
そして、装置５の処理作業をストップさせ、作業員がチェックし確認する。
また、不一致の場合には制御手段１４により、搬送手段７を自動的にストップさせるようにしてもよい。
【００３２】
比較判定手段１２により比較した結果が一致し、配列検査が終了したものは、図２に示すような状態に積み重ねられ、断裁トンボ２に基づいて各印刷用紙１ａ，１ｂ，１ｃ，１ｄの４周辺の部分を断裁機（図示せず）により断裁すると共に、１側縁部を留め具（１６）により綴じることで、図３に示すような問題集の印刷物１７が完成する。
各印刷用紙１ａ，１ｂ，１ｃ，１ｄの４周辺の部分を断裁することで、種別マーク３や識別マーク４ａ，４ｂ，４ｃの部分は取り除かれるので、最終製品の問題集の印刷物１７には、残らない。
【００３３】
次に、本発明の印刷物の配列検査方法の第二の実施形態に関し、図６に示した問題集の印刷物を作製する際における処理を図１２のフローチャートに基づいて説明する。
【００３４】
まず、図７，８に示した装置５のセット部６に左側から順番に、物理問題用の印刷用紙１ｄ、英語問題用の印刷用紙１ｃ、数学問題用の印刷用紙１ｂ、表紙用の印刷用紙１ａをそれぞれ複数部づつセットする。各問題用の印刷用紙１ｂ，１ｃ，１ｄは、３枚を１部とし、表紙用の印刷用紙１ａは１枚を１部とする。
その後、装置５をスタートさせて作動を開始させると、まず物理問題用の印刷用紙１ｄの１部が、取り出し装置８によりベルトコンベアー７ａ上に乗せられる。そして、ベルトコンベアー７ａの移動に伴って、物理問題用の印刷用紙１ｄの上部に、各取り出し装置８により英語問題用の印刷用紙１ｃ、数学問題用の印刷用紙１ｂ、表紙用の印刷用紙１ａを順次積み上げていく（Ｓ１０）。
【００３５】
次に、全ての印刷用紙１ａ，１ｂ，１ｃ，１ｄが積み上げられた状態となった後に、表紙用の印刷用紙１ａの種別マーク３ｄ，３ｅ，３ｆを種別マーク読取手段９により機械的に読み取る（Ｓ１１）。
次に、積み重ねた各印刷用紙の側面部に表出された識別マーク４ｄ，４ｅ，４ｆを識別マーク読取手段１０により機械的に読み取る（Ｓ１２）。
そして、種別マーク３ｄ，３ｅ，３ｆと識別マーク４ｄ，４ｅ，４ｆの用紙の天地方向に対する位置の同一性について比較判定する（Ｓ１３）。
【００３６】
比較判定手段１２により比較した結果は、制御手段１４に送られ、一致した場合には、判定ランプ１３ａに青色のＯＫを表すＯＫランプが点灯（Ｓ１４）することで、問題集１部に対する配列検査が終了する。
そして、次の処理を継続する場合には上記の処理と同様の処理を行うが、処理を終了する場合には処理作業をストップする（Ｓ１５）。
装置５の作動は、一旦スタートさせると連続的に各印刷用紙を取り込みベルトコイベアー７ａ上に積み上げるので、種別マーク及び識別マークの読み取り作業及び比較判定手段１２による判定も次々に連続して行われるものである。
【００３７】
また、比較判定手段１２により比較した結果が、不一致の場合には制御手段１４により判定ランプ１３ａに赤色のＮＧを表すＮＧランプを点灯（Ｓ１６）させ、また警報ブザー１３ｂを鳴らす（Ｓ１７）。
そして、装置５の処理作業をストップさせ、作業員がチェックし確認する。
また、不一致の場合には制御手段１４により、搬送手段７を自動的にストップさせるようにしてもよい。
【００３８】
比較判定手段１２により比較した結果が一致し、配列検査が終了したものは、図５に示すような状態に積み重ねられ、断裁トンボ２に基づいて各印刷用紙１ａ，１ｂ，１ｃ，１ｄの４周辺の部分を断裁機（図示せず）により断裁すると共に、１側縁部を留め具（１６）により綴じることで、図６に示すような問題集の印刷物１７が完成する。
各印刷用紙１ａ，１ｂ，１ｃ，１ｄの４周辺の部分を断裁することで、種別マークや識別マークの部分は取り除かれるので、最終製品の問題集の印刷物１７には、残らないようにして完成する。
【００３９】
尚、本発明における印刷物は、プリンターによる印字処理で各種情報を印字したり、表示したものも含まれるものであり、印刷機による印刷物に限定されるものではない。
【００４０】
【発明の効果】
以上、詳細に説明したように、本発明の印刷物の配列検査方法は、複数種類の印刷物を丁合いしたり、組み合わせて数ページからなる印刷物を作製する場合において、丁合いまたは組み合わた印刷物があらかじめ定めた配列位置や順番になっているのかを機械的に検査することのできるので、不良品が市場に出回るのを事前に防ぐことができるものである。
本発明の第一の実施形態においては、印刷物毎にそれを構成する各印刷用紙の内容や配列順を代えたい場合においても、各印刷用紙に表示する種別マークと識別マークとの関係を定める情報をあらかじめ配列情報記録手段に登録したり、また変更することにより容易に種々の配列に対応した配列検査をすることができ、各表紙の印刷用紙に対応した内容の印刷用紙が正しく配列されてセットされているか否かを機械的に比較し検査することができるので、検査スピードも早く効率も良い検査を行うことができるものである。
また、本発明の第二の実施形態においては、各印刷用紙に表示する種別マークと識別マークとを用紙の天地方向に対する位置の同一性により比較判定するので、配列情報記録手段に登録する手間もいらず、種別マークと識別マークの表示位置の調整だけで簡単に印刷物の配列検査方法を行うことができるものである。
【００４１】
【図面の簡単な説明】
【図１】本発明の第一の実施形態に用いる構成例の印刷用紙を種類別に表示した斜視図である。
【図２】図１の印刷用紙を組み合わせ配列した状態を示す斜視図である。
【図３】図２の状態から断裁トンボで断裁し、印刷物とした状態を示す斜視図である。
【図４】本発明の第二の実施形態に用いる構成例の印刷用紙を種類別に表示した斜視図である。
【図５】図４の印刷用紙を組み合わせ配列した状態を示す斜視図である。
【図６】図５の状態から断裁トンボで断裁し印刷物とした状態を示す斜視図である。
【図７】本発明の印刷物の配列検査方法に用いる装置の平面図である。
【図８】図７の装置の側面図である。
【図９】本発明の第一の実施形態に用いる構成例の印刷物の配列検査方法に用いる装置の要部のブロック図である。
【図１０】本発明の第二の実施形態に用いる構成例の印刷物の配列検査方法に用いる装置の要部のブロック図である。
【図１１】本発明の第一の実施形態に用いる構成例の印刷物の配列検査方法の概要を示すフローチャートである。
【図１２】本発明の第二の実施形態に用いる構成例の印刷物の配列検査方法の概要を示すフローチャートである。
【符号の説明】
１ａ，１ｂ，１ｃ，１ｄ  印刷用紙
２  断裁トンボ
３，３ｄ，３ｅ，３ｆ  種別マーク
３ａ，３ｂ，３ｃ  種別マーク表示部
４ａ，４ｂ，４ｃ，４ｄ，４ｅ，４ｆ  識別マーク
５  装置
６  セット部
７  搬送手段
７ａ  ベルトコンベアー
８  取り出し装置
９  種別マーク読取手段
１０  識別マーク読取手段
１１  配列情報記録手段
１２  比較判定手段
１３  エラー情報出力手段
１４  制御手段
１５  ホストコンピュータ
１６  留め具
１７  印刷物
【図１】
0004249305.tif 000002
【図２】
0004249305.tif 000003
【図３】
0004249305.tif 000004
【図４】
0004249305.tif 000005
【図５】
0004249305.tif 000006
【図６】
0004249305.tif 000007
【図７】
0004249305.tif 000008
【図８】
0004249305.tif 000009
【図９】
0004249305.tif 000010
【図１０】
0004249305.tif 000011
【図１１】
0004249305.tif 000012
【図１２】
0004249305.tif 000013